【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
表面の温度を操作するデバイスにおいて、
表面に近接して配置されるように構成され設定された熱調整装置であって、前記表面に近接する前記熱調整装置の領域にて複数の熱パルスを生成するように構成され、前記複数の熱パルスは、約０．１℃／秒と約１０．０℃／秒との間の平均変化率にて、少なくとも第１の温度と第２の温度との間で、前記領域の温度を循環させる、熱調整装置を含む、
デバイス。
【請求項２】
前記複数の熱パルスは、ユーザにより調整可能である、請求項１に記載のデバイス。
【請求項３】
更に、前記熱調整装置と電気連絡する少なくとも一つのセンサを含み、前記熱調整装置は、少なくとも部分的に、前記少なくとも一つのセンサからの情報に基づいてコントロールされる、請求項１又は２に記載の熱調整装置。
【請求項４】
前記熱調整装置は、少なくとも部分的に前記情報に基づいて、フィードバックループを用いて操作される、請求項３に記載のデバイス。
【請求項５】
前記一つ若しくはそれ以上のパラメータは、パルスの期間、パルスの間の温度変化の平均変化率、及び、パルスの間の温度変化の大きさを、含む、請求項２に記載のデバイス。
【請求項６】
前記少なくとも一つのセンサは、湿気、水蒸気、周囲温度、周囲と前記熱調整装置との間の温度差、及び、前記表面と前記熱調整装置との間の温度差のうちの、少なくとも一つを検知する、請求項３又は４に記載のデバイス。
【請求項７】
前記少なくとも一つのセンサは、ユーザの身体のパラメータを検知する、請求項３、４、６のうちのいずれか一に記載のデバイス。
【請求項８】
前記複数の熱パルスの一期間は、１２０秒より短い、請求項１〜７のうちのいずれか一に記載のデバイス。
【請求項９】
前記複数の熱パルスは、１０秒以下の期間を有し、前記第１の温度と前記第２の温度との差は、１℃と５℃との間である、請求項１〜８のうちのいずれか一に記載のデバイス。
【請求項１０】
前記複数の熱パルスの一期間は、１秒と１０秒との間である、請求項１〜９のうちのいずれか一に記載のデバイス。
【請求項１１】
前記複数の熱パルスの一期間は、２秒より大きい、請求項１〜１０のうちのいずれか一に記載のデバイス。
【請求項１２】
前記熱調整装置は前記表面を冷却する、請求項１〜１１のうちのいずれか一に記載のデバイス。
【請求項１３】
前記熱調整装置は前記表面を加熱する、請求項１〜１１のうちのいずれか一に記載のデバイス。
【請求項１４】
前記複数の熱パルスの各々は、経時的に前記第１の温度から前記第２の温度への実質的線形の振る舞いを示す、請求項１〜１３のうちのいずれか一に記載のデバイス。
【請求項１５】
前記複数の熱パルスの各々は、経時的に前記第１の温度から前記第２の温度への実質的指数関数的減衰の振る舞いを示す、請求項１〜１４のうちのいずれか一に記載のデバイス。
【請求項１６】
前記熱調整装置は、熱電気材料を含む、請求項１〜１５のうちのいずれか一に記載のデバイス。
【請求項１７】
前記熱調整装置は、装着品に組み込まれる、請求項１〜１６のうちのいずれか一に記載のデバイス。
【請求項１８】
前記第１の温度から前記第２の温度へ循環するときの温度変化の平均変化率は、前記第２の温度から前記第１の温度へ循環するときのものよりも、大きい、請求項１〜１７のうちのいずれか一に記載のデバイス。
【請求項１９】
前記表面は、ユーザの皮膚である、請求項１〜１８のうちのいずれか一に記載のデバイス。
【請求項２０】
表面の温度を操作する方法において、
表面に対して近接して少なくとも一つの熱調整装置を配置するステップと、及び、
表面に近接する前記熱調整装置の領域にて複数の熱パルスを生成して、約０．１℃／秒と約１０．０℃／秒との間の平均変化率にて、少なくとも第１の温度と第２の温度との間で、前記領域の温度を循環させる、ステップと
を含む、方法。
【請求項２１】
更に、前記複数の熱パルスの一つ若しくはそれ以上のパラメータを調整するステップを含む、請求項２０に記載の方法。
【請求項２２】
前記一つ若しくはそれ以上のパラメータは、パルスの期間、パルスの間の温度変化の平均変化率、及び、パルスの間の温度変化の大きさを、含む、請求項２１に記載のデバイス。
【請求項２３】
更に、少なくとも部分的に、少なくとも一つのセンサからの情報に基づいて、前記熱調整装置をコントロールするステップを含む、請求項２０〜２２のうちのいずれか一に記載の方法。
【請求項２４】
更に、少なくとも部分的に前記情報に基づいて、フィードバックループを用いて前記熱調整装置をコントロールするステップを含む、請求項２３に記載の方法。
【請求項２５】
前記少なくとも一つのセンサは、湿気、水蒸気、周囲温度、周囲と前記熱調整装置との間の温度差、及び、前記表面と前記熱調整装置との間の温度差のうちの、少なくとも一つを検知する、請求項２３又は２４に記載の方法。
【請求項２６】
前記少なくとも一つのセンサは、ユーザの身体のパラメータを検知する、請求項２３〜２５のうちのいずれか一に記載のデバイス。
【請求項２７】
前記複数の熱パルスの一期間は、１２０秒より短い、請求項２０〜２６のうちのいずれか一に記載の方法。
【請求項２８】
前記複数の熱パルスは、１０秒以下の期間を有し、前記第１の温度と前記第２の温度との差は、１℃と５℃との間である、請求項２０〜２７のうちのいずれか一に記載の方法。
【請求項２９】
前記複数の熱パルスの一期間は、１秒と１０秒との間である、請求項２０〜２８のうちのいずれか一に記載の方法。
【請求項３０】
前記複数の熱パルスの一期間は、２秒より大きい、請求項２０〜２９のうちのいずれか一に記載の方法。
【請求項３１】
前記熱調整装置は前記表面を冷却する、請求項２０〜３０のうちのいずれか一に記載の方法。
【請求項３２】
前記熱調整装置は前記表面を加熱する、請求項２０〜３０のうちのいずれか一に記載の方法。
【請求項３３】
前記複数の熱パルスの各々は、経時的に前記第１の温度から前記第２の温度への実質的線形の振る舞いを示す、請求項２０〜３２のうちのいずれか一に記載の方法。
【請求項３４】
前記複数の熱パルスの各々は、経時的に前記第１の温度から前記第２の温度への実質的指数関数的減衰の振る舞いを示す、請求項２０〜３３のうちのいずれか一に記載の方法。
【請求項３５】
前記熱調整装置は、熱電気材料を含む、請求項２０〜３４のうちのいずれか一に記載の方法。
【請求項３６】
前記熱調整装置は、装着品に組み込まれる、請求項２０〜３５のうちのいずれか一に記載の方法。
【請求項３７】
前記第１の温度から前記第２の温度へ循環するときの温度変化の平均変化率は、前記第２の温度から前記第１の温度へ循環するときのものよりも、大きい、請求項２０〜３６のうちのいずれか一に記載の方法。
【手続補正２】
【補正対象書類名】明細書
【補正対象項目名】００３７
【補正方法】変更
【補正の内容】
【００３７】
ある実施形態では、図示していないが、デバイスは、生地（例えば、衣料品）に組み込まれてもよい。例えば、ある実施形態では、スカーフ、ネックレス、アームバンド、リストバンド、又は任意の他の適切な装着品が、本明細書に記載のようにデバイスを組み込んでもよい。ある実施形態では、デバイスのサイズは、デバイスが手首にて、足首にて、衣料品の内部にて、ユーザの手のひらの範囲内にて、その他にて、快適にフィットするように、選択されてもよい。